【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
画像を表示するための表示モードを設定する設定手段と、
前記設定手段によって前記表示モードが代表画像表示モードに設定されていると、記録媒体に記録された画像のうち、互いに関連付けて記録された複数の画像のうちの代表画像のみを表示対象として選択し、前記設定手段によって前記表示モードが前記代表画像表示モードに設定されていないと、前記関連付けに関わらず、前記記録媒体に記録された複数の画像を表示対象として選択する制御手段と、
前記制御手段によって表示対象に選択された画像を表示手段に表示するように制御する表示制御手段と
を有し、
前記設定手段によって前記表示モードが前記代表画像表示モードに設定されていない際に前記表示対象として選択される前記複数の画像は、前記互いに関連付けて記録された複数の画像の各々と、互いに関連付けられずに記録された画像とを含むことを特徴とする表示制御装置。
【請求項２】
前記設定手段は、操作手段に対するユーザーからの操作に応じて前記表示モードを前記代表画像表示モードに設定することを特徴とする請求項１に記載の表示制御装置。
【請求項３】
前記設定手段は、前記表示手段に表示する画像の切り替え指示をユーザーから受け付けるための操作部材が長押しされたことに応じて、前記表示モードを前記代表画像表示モードに設定することを特徴とする請求項１に記載の表示制御装置。
【請求項４】
前記設定手段は、前記表示モードとして、画像を早送りで切り替え表示するための早送りモードを設定可能であり、
前記制御手段は、前記設定手段によって前記表示モードが前記代表画像表示モードに設定されていない場合であっても、前記早送りモードに設定されている場合には、前記代表画像のみを表示対象として選択することを特徴とする請求項１乃至３のいずれか１項に記載の表示制御装置。
【請求項５】
画像を表示するための表示モードを設定する設定手段と、
前記設定手段によって前記表示モードが画像を早送りで切り替え表示するための早送りモードに設定されていると、記録媒体に記録された画像のうち、互いに関連付けて記録された複数の画像のうちの代表画像のみを表示対象として選択し、前記設定手段によって前記表示モードが前記早送りモードに設定されていないと、前記記録媒体に記録された複数の画像を表示対象として選択する制御手段と、
前記制御手段によって表示対象に選択された画像を表示手段に表示するように制御する表示制御手段と
を有し、
前記設定手段によって前記表示モードが前記早送りモードに設定されていない際に前記表示対象として選択される前記複数の画像は、前記互いに関連付けて記録された複数の画像の各々と、互いに関連付けられずに記録された画像とを含むことを特徴とする表示制御装置。
【請求項６】
前記表示制御手段によって表示される画像を切り替える切り替え指示をユーザーから受け付ける受付手段と、
前記受付手段の特定の操作によって前記切り替え指示が受け付けられた場合に、前記表示モードを前記早送りモードに設定する早送りモード設定手段を更に有することを特徴とする請求項４または５に記載の表示制御装置。
【請求項７】
前記受付手段がキーであり、前記特定の操作は、前記受付手段の連続的な押下であることを特徴とする請求項６に記載の表示制御装置。
【請求項８】
前記受付手段がダイアルであり、特定の操作は、前記切り替え指示が、前記受付手段の回転操作であることを特徴とする請求項６に記載の表示制御装置。
【請求項９】
前記制御手段は、前記記録媒体に互いに関連付けて記録された複数の画像が、同一の画像に対して特定の画像処理を施して得られた処理済画像と前記特定の画像処理を施していない画像である場合、前記処理済画像を前記互いに関連付けて記録された複数の画像の前記代表画像として選択することを特徴とする請求項１乃至８のいずれか１項に記載の表示制御装置。
【請求項１０】
前記記録媒体に互いに関連付けて記録された複数の画像は、１回の連写撮影で得られた複数の画像、１回のブラケット撮影で得られた複数の画像、１枚の画像に合成するために撮影された複数の画像の少なくともいずれかであることを特徴とする請求項１乃至９のいずれか１項に記載の表示制御装置。
【請求項１１】
前記記録媒体に記録する画像を撮像する撮像手段をさらに有することを特徴とする請求項１乃至１０のいずれか１項に記載の表示制御装置。
【請求項１２】
画像を表示するための表示モードを設定する設定手段を有し、記録媒体に記録された画像を前記設定手段によって設定された表示モードに応じた表示方法で表示手段に表示する表示制御装置の制御方法であって、
前記設定手段によって前記表示モードが代表画像表示モードに設定されていると、前記記録媒体に記録された画像のうち、互いに関連付けて記録された複数の画像のうちの代表画像のみを表示対象として選択し、前記設定手段によって前記表示モードが前記代表画像表示モードに設定されていないと、前記関連付けに関わらず、前記記録媒体に記録された複数の画像を表示対象として選択する制御工程と、
前記制御工程によって表示対象に選択された画像を前記表示手段に表示するように制御する表示制御工程と
を有し、
前記設定手段によって前記表示モードが前記代表画像表示モードに設定されていない際に前記表示対象として選択される前記複数の画像は、前記互いに関連付けて記録された複数の画像の各々と、互いに関連付けられずに記録された画像とを含むことを特徴とする表示制御装置の制御方法。
【請求項１３】
画像を表示するための表示モードを設定する設定手段を有し、記録媒体に記録された画像を前記設定手段によって設定された表示モードに応じた表示方法で表示手段に表示する表示制御装置の制御方法であって、
前記設定手段によって前記表示モードが画像を早送りで切り替え表示するための早送りモードに設定されていると、前記記録媒体に記録された画像のうち、互いに関連付けて記録された複数の画像のうちの代表画像のみを表示対象として選択し、前記設定手段によって前記表示モードが前記早送りモードに設定されていないと、前記記録媒体に記録された複数の画像を表示対象として選択する制御工程と、
前記制御工程によって表示対象に選択された画像を前記表示手段に表示するように制御する表示制御工程と
を有し、
前記設定手段によって前記表示モードが前記早送りモードに設定されていない際に前記表示対象として選択される前記複数の画像は、前記互いに関連付けて記録された複数の画像の各々と、互いに関連付けられずに記録された画像とを含むことを特徴とする表示制御装置の制御方法。
【請求項１４】
コンピュータに請求項１２又は１３に記載された表示制御装置の制御方法の各工程を実行させるためのプログラム。
【請求項１５】
コンピュータに請求項１２又は１３に記載された表示制御装置の制御方法の各工程を実行させるためのプログラム、を記録したコンピュータ読み取り可能な記録媒体。
【手続補正２】
【補正対象書類名】明細書
【補正対象項目名】発明の名称
【補正方法】変更
【補正の内容】
【発明の名称】表示制御装置及びその制御方法
【手続補正３】
【補正対象書類名】明細書
【補正対象項目名】０００１
【補正方法】変更
【補正の内容】
【０００１】
本発明は、静止画像や動画像を表示する表示制御装置及びその制御方法に関する。
【手続補正４】
【補正対象書類名】明細書
【補正対象項目名】０００７
【補正方法】変更
【補正の内容】
【０００７】
本発明では、このような問題に鑑み、一連の関連する複数枚の画像データを関連画像データとし、表示モードに応じて関連画像データのなかで代表画像データを特定して記録媒体から表示する表示制御装置及びその制御方法の提供を目的とする。
【手続補正５】
【補正対象書類名】明細書
【補正対象項目名】０００８
【補正方法】変更
【補正の内容】
【０００８】
上記の目的を達成するため、本発明に係る表示制御装置は、画像を表示するための表示モードを設定する設定手段と、設定手段によって表示モードが代表画像表示モードに設定されていると、記録媒体に記録された画像のうち、互いに関連付けて記録された複数の画像のうちの代表画像のみを表示対象として選択し、設定手段によって表示モードが代表画像表示モードに設定されていないと、関連付けに関わらず、記録媒体に記録された複数の画像を表示対象として選択する制御手段と、制御手段によって表示対象に選択された画像を表示手段に表示するように制御する表示制御手段とを有し、設定手段によって表示モードが代表画像表示モードに設定されていない際に表示対象として選択される複数の画像は、互いに関連付けて記録された複数の画像の各々と、互いに関連付けられずに記録された画像とを含むことを特徴とする。
【手続補正６】
【補正対象書類名】明細書
【補正対象項目名】０００９
【補正方法】変更
【補正の内容】
【０００９】
上記の目的を達成するため、本発明に係る別の表示制御装置は、画像を表示するための表示モードを設定する設定手段と、設定手段によって表示モードが画像を早送りで切り替え表示するための早送りモードに設定されていると、記録媒体に記録された画像のうち、互いに関連付けて記録された複数の画像のうちの代表画像のみを表示対象として選択し、設定手段によって表示モードが早送りモードに設定されていないと、記録媒体に記録された複数の画像を表示対象として選択する制御手段と、制御手段によって表示対象に選択された画像を表示手段に表示するように制御する表示制御手段とを有し、設定手段によって表示モードが早送りモードに設定されていない際に表示対象として選択される複数の画像は、互いに関連付けて記録された複数の画像の各々と、互いに関連付けられずに記録された画像とを含むことを特徴とする。
【手続補正７】
【補正対象書類名】明細書
【補正対象項目名】００１０
【補正方法】変更
【補正の内容】
【００１０】
本発明によれば、一連の関連する複数枚の画像データを関連画像データとし、表示モードに応じて関連画像データのなかで代表画像データを特定して記録媒体から表示することが可能となる。
【手続補正８】
【補正対象書類名】図面
【補正対象項目名】図６
【補正方法】変更
【補正の内容】
【図６】
2007221769.tif 000001
【手続補正９】
【補正対象書類名】図面
【補正対象項目名】図８
【補正方法】変更
【補正の内容】
【図８】
2007221769.tif 000002